(57)【要約】【課題】  美観を保ちつつ、入り込んだ風によりユニット床材が軋むように音をたてたり、捲れあがったり、飛散したりするのを防止することができ、また、使用できるユニット床材の制限の少ない、ユニット床材の組立体を提供する。【解決手段】  隣接する２辺に、隣り合うユニット床材の連結片が嵌挿される複数個の連結環を有し、他の隣接する２辺には、隣り合うユニット床材の連結環に嵌挿される複数個の連結片を有するユニット床材の複数個を、ユニット床材の連結片を隣り合うユニット床材の連結環に嵌挿することによって組み立ててなり、かつ、任意のユニット床材の任意の連結環には、その連結環に係止される部位と隣り合うユニット床材に係止される部位とを有する連結補助具を設けた。【選択図】  図２
2004211540.tif 000002
【特許請求の範囲】
【請求項１】
隣接する２辺に、隣り合うユニット床材の連結片が嵌挿される複数個の連結環を有し、他の隣接する２辺には、隣り合うユニット床材の連結環に嵌挿される複数個の連結片を有するユニット床材の複数個を、ユニット床材の連結片を隣り合うユニット床材の連結環に嵌挿することによって組み立ててなり、かつ、任意のユニット床材の任意の連結環には、その連結環に係止される部位と隣り合うユニット床材に係止される部位とを有する連結補助具を設けてなることを特徴とするユニット床材の組立体。
【請求項２】
連結補助具がＬ形に形成され、そのＬ形の立片が連結環に係止される部位として形成され、底片が隣り合うユニット床材に係止される部位として形成されている、請求項１に記載のユニット床材の組立体。
【請求項３】
連結補助具の断面形状が逆Ｔ形に形成され、その逆Ｔ形の立片が連結環に係止される部位として形成され、底片の一方が隣り合うユニット床材に係止される部位として形成されている請求項１に記載のユニット床材の組立体。
【請求項４】
立片が連結環に嵌挿されることによって係止され、底片が隣り合うユニット床材に踏まれることによって係止されている、請求項２または３に記載のユニット床材の組立体。
【請求項５】
連結補助具が、Ｌ形の底片において、ユニット床材が敷設される基床に固定される、請求項２または４に記載のユニット床材の組立体。
【請求項６】
連結補助具が、逆Ｔ形の底片において、ユニット床材が敷設される基床に固定される、請求項３または４に記載のユニット床材の組立体。
【請求項７】
連結補助具が、組立体の少なくとも端部に位置するユニット床材に設けられている、請求項１〜６のいずれかに記載のユニット床材の組立体。
【発明の詳細な説明】
【技術分野】
【０００１】
本発明は、バルコニー、ベランダ、テラス等に施工される、ユニット床材の組立体に関する。
【背景技術】
【０００２】
住宅等のバルコニー、ベランダ、テラス等に、美観の向上等を目的として、合成樹脂製のユニット床材や、合成樹脂製の架台の上面に人工芝生、陶磁器質タイル、木材等の化粧材を貼り付けてなるユニット床材を敷き詰めることがよくある。そのようなユニット床材は、隣接する２辺に、隣り合うユニット床材の連結片が嵌挿される連結環を有し、他の隣接する２辺には、隣り合うユニット床材の連結環に嵌挿される連結片を有していて、かかるユニット床材の複数個を、ユニット床材の連結片を隣り合うユニット床材の連結環に嵌挿することによって床として組み立てる。
【０００３】
ところで、そのようなユニット床材の組立体は、ユニット床材が架台の上面に陶磁器質タイル等の比較的重量のある化粧材を貼り付けてなるようなものである場合はまだしも、合成樹脂製ユニット床材や、合成樹脂製の架台の上面に人工芝生のように比較的軽量の化粧材を貼り付けてなるようなものである場合には、組立体の下に風が入り込んだとき、ユニット床材が軋むように音をたてたり、捲れあがったり、著しい場合には飛散したりすることがある。そのため、風が入り込みやすい組立体の端縁部に横断面がコの字状の部材を嵌め込んで風を遮蔽したり（たとえば、特許文献１参照）、ユニット床材の側面に板状の部材を装着して風を遮蔽したりしている（たとえば、特許文献２参照）。しかしながら、前者は、コの字状の部材の上片がユニット床材の表面に被さることから美観を損ねるという問題がある。また、後者は、ユニット床材の側面に板状の部材を装着する、すなわち、板状の部材によって隣り合うユニット床材との間に隙間ができることから、たとえば、架台の上面に複数枚のタイルを目地間隔をおいて貼り付けてなるユニット床材を用いるときのように、化粧材が決められた間隔で配されているユニット床材を用いるときにのみ適用が可能であり、使用できるユニット床材の種類が限られるという問題がある。
【特許文献１】特許第３２０１９５３号公報
【特許文献２】特開２００１−２２７１３９号公報
【発明の開示】
【発明が解決しようとする課題】
【０００４】
本発明の目的は、従来のユニット床材の組立体の上述した問題点を解決し、美観を保ちつつ、入り込んだ風によりユニット床材が軋むように音をたてたり、捲れあがったり、飛散したりするのを防止することができ、また、使用できるユニット床材の制限の少ない、ユニット床材の組立体を提供するにある。
【課題を解決するための手段】
【０００５】
上記目的を達成するために、本発明は、隣接する２辺に、隣り合うユニット床材の連結片が嵌挿される複数個の連結環を有し、他の隣接する２辺には、隣り合うユニット床材の連結環に嵌挿される複数個の連結片を有するユニット床材の複数個を、ユニット床材の連結片を隣り合うユニット床材の連結環に嵌挿することによって組み立ててなり、かつ、任意のユニット床材の任意の連結環には、その連結環に係止される部位と隣り合うユニット床材に係止される部位とを有する連結補助具を設けてなることを特徴とするユニット床材の組立体を提供する。
【０００６】
連結補助具は、Ｌ形に形成され、そのＬ形の立片が連結環に係止される部位として形成され、底片が隣り合うユニット床材に係止される部位として形成されているのが好ましい。その場合、立片が連結環に嵌挿されることによって係止され、底片が隣り合うユニット床材に踏まれることによって係止されているのが好ましい。
【０００７】
また、連結補助具の断面形状が逆Ｔ形に形成され、その逆Ｔ形の立片が連結環に係止される部位として形成され、底片の一方が隣り合うユニット床材に係止される部位として形成されているものも好ましい。この場合においても、立片が連結環に挿入されることによって係止され、底片が隣り合うユニット床材に踏まれることによって係止されているのが好ましい。
また、連結補助具は、Ｌ形または逆Ｔ形の底片において、ユニット床材が敷設される基床、たとえばバルコニー、ベランダ、テラスに固定されるのも好ましい。
【０００８】
連結補助具は、風の最も入りやすい、組立体の少なくとも端部に位置するユニット床材に設けられているのが好ましい。
【発明の効果】
【０００９】
本発明のユニット床材の組立体は、任意のユニット床材の任意の連結環に、その連結環に係止される部位と隣り合うユニット床材に係止される部位とを有する連結補助具を設けているので、美観を保ちつつ、入り込む風によりユニット床材が軋むように音をたてたり、捲れあがったり、飛散したりするのを防止することができるようになる。また、適用できるユニット床材の制限も少ない。
【発明を実施するための最良の形態】
【００１０】
図１において、ユニット床材１は、架台２と、その架台２の上面に接着等により装着された人工芝生、陶磁器質タイル、木材等からなる複数個の化粧材３とを有する。架台２は、隣接する２辺に、隣り合うユニット床材１の連結片が嵌挿される複数個の連結環２ａを有し、他の隣接する２辺には、隣り合うユニット床材１の連結環に嵌挿される複数個の連結片２ｂを有している。このようなユニット床材１は、その複数個を、架台２の連結片２ａを隣り合うユニット床材１の架台２の連結環２ｂに嵌挿することによって連結し、組立体とする。
【００１１】
さて、この例では、図１に示すように、複数個のユニット床材１を連結して組み立てるにあたり、連結補助具として、Ｌ形金具４を用いる。このＬ形金具４は、たとえば薄いステンレス板のように耐錆性、強度のある薄い金属の板で構成され、ユニット床材の表面高さよりも低い立片には孔があけられていて、その孔を連結環２ａに嵌挿、係止した後、連結環２ａに隣り合うユニット床材１の連結片２ｂを嵌挿する。すると、図２に示すように、Ｌ形金具４の底片が隣り合うユニット床材１によって踏まれ、そのユニット床材１に係止される。Ｌ形金具の底片は、ユニット床材１が敷設される基床５に両面接着テープ６で接着、固定している。これにより、組立体の下に入り込んだ風によってユニット床材が軋むように音をたてたり、捲れあがったり、飛散したりするのを防止することができるようになる。しかも、Ｌ形金具はユニット床材の表面に表れないから美観を損なうこともなく、また、隣り合うユニット床材同士の間に隙間がほとんどできないから、架台の上面に複数枚のタイルを目地間隔をおいて貼り付けてなるユニット床材を用いるときのように、化粧材が決められた間隔で配されているユニット床材でなくても使用できるようになる。
【００１２】
また、図３、４に示すように連結補助具の断面形状は逆Ｔ形であってもよい。この場合、上記Ｌ形連結補助具の効果に加え、立片に対し左右に底片が形成されているため、基床に接着した際、左右からの応力に対し連結補助具が剥離しにくい。
上記において、架台は、好ましくは、ポリエチレン、ポリプロピレン、エチレン−酢酸ビニル共重合体等の合成樹脂の射出成形によって一体に成形されているのが好ましい。その場合、原料樹脂の使用量を減らし、また、軽量化するために、上面を格子状の孔あきとして形成するのが好ましい。また、水捌けをよくするために、底面に複数個の脚を形成するのもよい。もっとも、連結片を脚として併用することもできる。なお、ユニット床材が敷き詰められるバルコニー、ベランダ、テラス等の基床の硬度を予測できる場合には、基床を傷つけることがないよう、架台には基床よりも柔らかい合成樹脂を選択、使用するのが好ましい。
【００１３】
また、上述の例においては、上面に複数個の化粧材を接着等により装着しているが、化粧材は必須のものではない。すなわち、架台そのものをユニット床材として構成してもよい。また、合成樹脂製の化粧材が合成樹脂製の架台と一体成形されていてもよい。
【００１４】
連結補助具は、耐錆性、強度に優れるステンレス製であるのが好ましいが、ＡＢＳ等の合成樹脂製のものや、亜鉛メッキ鋼板等の金属製のものを用いることもできる。
【００１５】
また、連結補助具は、上述したように、Ｌ形または逆Ｔ形に形成し、その立片に孔を設けて連結環に嵌挿、係止するようにするのが連結強度、製作の容易さといった面から好ましいが、たとえば、図５に示すように孔を開孔として連結環にその上から嵌め込み、連結環を上から押さえ込むようにしたものや、図６に示すように底片に隣り合うユニット床材の連結片が係止される凸条を設けたようなもの等、いろいろな形状のものを用いることができる。また、立片を接着により係止するようなことも可能である。
【００１６】
さらに、Ｌ形または逆Ｔ形の連結補助具を用いる場合、立片の高さは、上述したように、立片の先端部がユニット床材の表面から突出しない高さとするのが好ましい。これにより、表面の美観が保たれるばかりでなく、歩行時の違和感も低減できる。また、底片の長さは、極端に短いと隣り合うユニット床材による係止が不十分になるので、１５〜１００ｍｍ程度とするのが好ましい。
【００１７】
また、連結補助具は、任意のユニット床材に設けることができる。ただ、少なくとも、風が最も入り込みやすい、組立体の端部に位置するユニット床材に設けるのが好ましい。特に、端部に手摺りが設置されているバルコニーに敷き詰めるような場合、手摺りを通り抜けた風が組立体の下に入り込みやすく、組立体の端部に位置するユニット床材から捲れあがる傾向がある。また、連結補助具の使用個数は、陶磁器質タイルを化粧材とするユニット床材のように比較的重量のあるユニット床材を用いる場合や、合成樹脂製の架台と一体成形された格子状の孔あきタイル調の表面を有するもののように比較的風通しのよいユニット床材を用いる場合には、ユニット床材１〜５枚につき１個の割合で配置し、また、人工芝生を化粧材とするユニット床材のように比較的軽量であるうえに風通しのよくないユニット床材を用いる場合には、ユニット床材１枚につき１〜８個の割合で配置するのが好ましい。
【００１８】
連結補助具を基床に固定することは必須ではないが、固定することにより、入り込んだ風によってユニット床材が軋むように音をたてたり、捲れあがったり、飛散したりするのをより確実に防止することができるようになる。固定は、両面テープや接着剤等によることができるが、施工が簡単で、再施工時に基床を傷つける虞も小さいという意味では、上述の例のように両面接着テープによるのが好ましい。その場合、両面接着テープの材質は、接着性や防水性に優れるブチルゴム系粘着剤、アクリル系粘着剤、ゴムアスファルト系粘着剤等であるのが好ましい。また、より強固な接合が可能になるという意味では、接着剤によるのが好ましい。接着剤は、接着性や耐久性に優れるアクリル系、エポキシ系、ポリウレタン系、シリコーン系、ゴム系等の接着剤であるのが好ましい。
【００１９】
用いるユニット床材の大きさは、その種類にもよるが、運搬の容易さや組立時の取扱性等を考えると、１辺が１００〜５００ｍｍ程度の正方形や長方形であるのが好ましい。なかでも、１辺が１００〜３００ｍｍ程度の正方形のものは、一般的なベランダやバルコニーの幅や長さに合わせやすい。
【図面の簡単な説明】
【００２０】
【図１】本発明の一実施形態に係るユニット床材の組立体の要部の概略斜視図である。
【図２】本発明の一実施形態に係るユニット床材の組立体の概略正面図である。
【図３】本発明で用いる連結補助具の一例を示す概略斜視図である。
【図４】本発明で用いる連結補助具の他の例を示す概略斜視図である。
【図５】本発明で用いる連結補助具の他の例を示す概略斜視図である。
【図６】本発明で用いる連結補助具の他の例を示す概略斜視図である。
【符号の説明】
【００２１】
１：ユニット床材
２：架台
２ａ：連結環
２ｂ：連結片
３：化粧材
４：Ｌ形金具（連結補助具）
５：基床
６：両面接着テープ
７：逆Ｔ形金具（連結補助具）
【図１】
2004211540.tif 000003
【図２】
2004211540.tif 000004
【図３】
2004211540.tif 000005
【図４】
2004211540.tif 000006
【図５】
2004211540.tif 000007
【図６】
2004211540.tif 000008